(57)【特許請求の範囲】
【請求項１】
上下横框を左右縦框に突き合わせた框材に形成されるガラス嵌合部に、ガラス合わせ面同士が樹脂製の接着剤で固着された合わせガラスを嵌合してなる戸体において、火災の熱を受けて融解して合わせガラスの端面から流れ落ちる接着剤を受ける樹脂受け部材を、下側横框のガラス嵌合部よりも下側で、かつガラス嵌合部の前後幅より前後方向幅広で、下側横框のガラス嵌合部の左右両端縁よりも左右方向外側に至るよう延出して設けたことを特徴とする戸体。
【請求項２】
左右縦框に形成されるガラス嵌合部の下端縁は樹脂受け部材を下方に臨む状態で開口しており、合わせガラスの左右両端面から流れ出た融解している接着材は、左右縦框のガラス嵌合部の下端縁から樹脂受け部材に流れ落ちることを特徴とする請求項１記載の戸体。
【請求項３】
樹脂受け部材は、前後方向両端縁が下側横框の前後方向両側板の内面にまで至ると共に、左右両端が左右縦框の左右方向外側板の内面にまで至るように構成されていることを特徴とする請求項１または２記載の戸体。
【請求項４】
合わせガラスの少なくとも下端面には、火災の熱を受けて融解した接着剤が流れ落ちないよう封止するための封止手段が施されたものとして、火災の熱により融解した接着剤が、合わせガラスの下端面からの流れ落ちをなくし、左右両端面から流れ落ちて樹脂受け部材で受けられるように構成したことを特徴とする請求項１乃至３の何れか１記載の戸体。
【請求項５】
封止手段は合わせガラスの下端面に設けられる耐火性の封止材であり、下側横框内には、火災の熱を受けて発泡してガラス嵌合部内の空隙を塞いで封止材の支持をする発泡性耐火材が配設されていて、火災発生時には合わせガラスの下端面から融解した接着剤が流れ落ちないように設定され、かつ下側横框のガラス嵌合部は底面が封止されていることを特徴とする請求項１乃至４の何れか１記載の戸体。
【発明の詳細な説明】
【技術分野】
【０００１】
本発明は、ガラス合わせ面同士が樹脂製の接着剤で固着された合わせガラスを嵌め込んで構成される戸体の技術分野に関するものである。
【背景技術】
【０００２】
今日、建造物の出入り口に建て付けられる戸体として、上下横框および左右縦框に形成される凹溝状のガラス嵌合部に、複数枚のガラス板のガラス合わせ面同士を樹脂製の接着剤（この接着剤としては後述する特許文献２に記載の「接着樹脂層」の成分を例示することができる。）で固着した合わせガラスを嵌め込むようにしたものがある。このような戸体において、火災が発生した場合、接着剤が熱により融解して合わせガラスの下端面から流れ落ちてしまい、この流れ落ちた接着剤が引火して非火災発生側で燃えてしまうことがあり、防火性、耐火性が損なわれる、という問題がある。
そこで、合わせガラスの下端面と左右両端面の下端部とに耐火性の封止材で被覆して融解した接着剤が該被覆した部位から流れ落ちないようにしたものが知られている（例えば特許文献１参照。）。
【先行技術文献】
【特許文献】
【０００３】
【特許文献１】特許第５２９４１５１号公報
【発明の概要】
【発明が解決しようとする課題】
【０００４】
ところがこのものは、合わせガラスの左右両端面の封止材で被覆した部位よりも上側部位から融解した接着剤が洩れ出てしまう恐れがあり、このようになった場合、該融解して漏れ出た接着剤が引火して非火災発生側への延焼が危惧されるだけでなく、融解した接着剤の膨張力で、封止材の合わせガラスとの接着部位が剥がれたり接着位置がズレたりし、これにより融解した接着剤が漏れ出てしまうという問題があり、ここに本発明の解決すべき課題がある。尚、このものには、合わせガラスの全周を封止材で塞いだ場合、火災の熱により融解した接着剤の膨張により合わせガラスが爆裂してしまうという問題が提起されており、全周をシート材で被覆して融解した接着剤が漏れ出ないようにすることは憚られる。
【課題を解決するための手段】
【０００５】
本発明は、上記の如き実情に鑑みこれらの課題を解決することを目的として創作されたものであって、請求項１の発明は、上下横框を左右縦框に突き合わせた框材に形成されるガラス嵌合部に、ガラス合わせ面同士が樹脂製の接着剤で固着された合わせガラスを嵌合してなる戸体において、火災の熱を受けて融解して合わせガラスの端面から流れ落ちる接着剤を受ける樹脂受け部材を、下側横框のガラス嵌合部よりも下側で、かつガラス嵌合部の前後幅より前後方向幅広で、下側横框のガラス嵌合部の左右両端縁よりも左右方向外側に至るよう延出して設けたことを特徴とする戸体である。
請求項２の発明は、左右縦框に形成されるガラス嵌合部の下端縁は樹脂受け部材を下方に臨む状態で開口しており、合わせガラスの左右両端面から流れ出た融解している接着材は、左右縦框のガラス嵌合部の下端縁から樹脂受け部材に流れ落ちることを特徴とする請求項１記載の戸体である。
請求項３の発明は、樹脂受け部材は、前後方向両端縁が下側横框の前後方向両側板の内面にまで至ると共に、左右両端が左右縦框の左右方向外側板の内面にまで至るように構成されていることを特徴とする請求項１または２記載の戸体である。
請求項４の発明は、合わせガラスの少なくとも下端面には、火災の熱を受けて融解した接着剤が流れ落ちないよう封止するための封止手段が施されたものとして、火災の熱により融解した接着剤が、合わせガラスの下端面からの流れ落ちをなくし、左右両端面から流れ落ちて樹脂受け部材で受けられるように構成したことを特徴とする請求項１乃至３の何れか１記載の戸体である。
請求項５の発明は、封止手段は合わせガラスの下端面に設けられる耐火性の封止材であり、下側横框内には、火災の熱を受けて発泡してガラス嵌合部内の空隙を塞いで封止材の支持をする発泡性耐火材が配設されていて、火災発生時には合わせガラスの下端面から融解した接着剤が流れ落ちないように設定され、かつ下側横框のガラス嵌合部は底面が封止されていることを特徴とする請求項１乃至４の何れか１記載の戸体である。
【発明の効果】
【０００６】
請求項１の発明とすることにより、火災の熱により融解して合わせガラスのから流れ出た接着剤を、下側横框のガラス嵌合部よりも下側に設けられた樹脂受け部材により確実に受けられることになって防火性、耐火性が向上する。
請求項２の発明とすることにより、左右縦框のガラス嵌合部の下端縁の開口を利用して融解した接着剤を樹脂受け部材に流し落とすことができる。
請求項３の発明とすることにより、樹脂受け部材が下側横框および左右縦框の下側部位の補強材に兼用されることになって戸体の強度アップが併せて図れることになる。
請求項４の発明とすることにより、融解した樹脂材が下側横框のガラス嵌合部に流れ落ちるのを回避して合わせガラスの左右両端面から流れ出て樹脂受け部材で受け止められることになる結果、下側横框のガラス嵌合部に融解した樹脂材が流れ落ちて引火することがなく、防火性、耐火性が向上する。
請求項５の発明とすることにより、合わせガラスの下端面に設けられる封止材が、熱により剥離したりする不具合を、発泡性耐火材が発泡することで防止することができ、合わせガラスの下端面からの接着剤の流れ落ちを防止できるので、下側横框のガラス嵌合部が封止されたものを採用できることになる。
【図面の簡単な説明】
【０００７】
【図１】戸体の正面図である。
【図２】戸体の下部を正面視したものであって、左側の断面正面図は火災発生時の状態を示したものであり、右側の正面図は平常時の状態を示したものである。
【図３】合わせガラスを省略した戸体の水平断面図である。
【図４】戸体の水平断面図である。
【図５】戸体の要部分解斜視図である。
【図６】（Ａ）（Ｂ）は戸体の平常時の縦断面図、火災発生時の縦断面図である。
【図７】（Ａ）（Ｂ）は第二の実施の形態を示す火災発生時の戸体の要部縦断面図、要部正面断面図である。
【発明を実施するための形態】
【０００８】
以下、本発明の実施の形態について、図面に基づいて説明する。図面において、１は戸体であって、該戸体１は、上下横框２、３を左右縦框４に突き合わせることで形成される框材Ａに囲撓される空間に、二枚のガラス板５ａからなる合わせガラス５が嵌め込まれて構成されるものであり、ガラス板５ａ同士の合わせ面は樹脂製の接着剤６で固定されている。そして本実施の形態では、合わせガラス板５の下端面部には、ガラス下端面５ｂを被覆（封止）するため断面凵字形をした耐火性のある封止材６ａが設けられている。
【０００９】
左右縦框４には、凹溝状のガラス嵌合部４ａが形成され、上下横框２、３には、室内側にガラス嵌合部２ａ、３ａが形成され、合わせガラス５の端面部が嵌合組込みされるが、下框側ガラス嵌合部３ａは、室内側に起立部が一体に形成されいないものであって、封止状の底面部３ｅ、室外側で起立した起立部の内側面部３ｆ、室内側の起立部がない部位にビス８を介して固定される支持部材２ｂ、３ｂの内側面部３ｇとにより凹溝状に形成され（上側横框２のガラス嵌合部２aも同様の構成で形成されている。）、左右縦框４のガラス嵌合部４ａは、底面部４ｆ、室内外両側において底面部４ｆから続くようにして起立形成される起立部の各内側面部４ｇ、４ｈにより凹溝状に形成されている。
そして下側横框３のガラス嵌合部３ａには、セッティングブロック７が点在（通常２か所）状に設けられている。そして合わせガラス５は、左右両端面部を左右方向に「いってこい（さしおくり）」のように移動させて左右縦框４のガラス嵌合部４ａに嵌合した後、合わせガラス５の下端面５ｂをセッティングブロック７に載せ、上下縦框２、３のガラス嵌合部２ａ、３ａの起立片がない部位に支持部材２ｂ、３ｂをビス８を介して固定することで戸体１に組込まれるようになっていること等は何れも従来通りである。尚、各ガラス嵌合部２ａ、３ａ、４ａとガラス板５との隙間には、バックアップ材９、シーリング材（耐火性ガスケットでも良い）１０が充填されている。
【００１０】
上下横框２、３は、左右縦框４の左右方向内面に突き当てられる状態で組立てられるが、この場合に、左右縦框４のガラス嵌合部４ａの上下端縁は、上下横框２、３のガラス嵌合部２ａ、３ａの底面部位までとなっていてそれ以上の上下側部位はそれぞれ切欠かれており、これにより左右縦框４のガラス嵌合部４ａの上下端縁４ｅは開口状態になっている。
また左右縦框４の左右方向内側板４ｂは、下側横框３の端縁３ｄが突き当てられる部位が切欠かれた切欠き部４ｃになっている。尚、左右縦框４の上側横框２の端縁が突き当てられる部位も同様に切り欠かれているが、図示は省略する。
さらに下側横框３のガラス嵌合部３ａの底面には、熱を受けることで発泡する発泡性耐火材（前述したものが例示される。）１１がセッティングブロック７部位を避けるようにして左右方向全長に亘って敷設してある。この発泡性耐火材１１は、熱を受けて発泡した場合に、合わせガラス５の下端面を押圧する状態にまで至って合わせガラス５の下端面５ｂに設けた封止材６ａが剥がれたりする不具合発生を防止するように設定されている。尚、発泡した発泡性耐火材１１により合わせガラス５の下端面５ｂから融解した接着剤６が流れ出ることを回避できるのであれば、発泡性耐火材１１が合わせガラス下端面５ｂの封止手段となり、この場合には封止手段であるシート状の封止材６ａは必ずしも必要ない。そして封止手段としては、合わせガラス５の下端面から融解した接着剤６が流れ出るのを封止するものであれば十分であって、本実施の形態のように封止材６ａ、発泡性耐火材１１でなくても勿論よい。
因みに、下側横框３におけるガラス嵌合部３ａのセッティングブロック７が設けられる部位には、セッティングブロック７とガラス嵌合部３ａとの隙間に発泡性耐火材１１を設けておくこともできる。
【００１１】
下側横框３のガラス嵌合部３ａよりも下側には、樹脂受け部材１２が設けられるが、該樹脂受け部材１２は、下側横框３のガラス嵌合部３ａの前後方向の幅よりも前後方向幅広に設定された状態、本実施の形態では、下側横框３の前後方向両側板３ｃの内面に固定された状態で上側が開口した凹溝状をし、樹脂受け部材１２の左右両端部１２ｃは、下側横框３を超えて左右方向外方に延出して切欠き部４ｃから左右縦框４内に入り込むようになっており、これにより、樹脂受け部材１２は、左右縦框４のガラス嵌合部４ａの開口した下端縁４ｅの下方に臨むようになっている。そして本実施の形態では、左右縦框４の左右方向外側板４ｄの内面にまで至った状態で融解して落下した接着剤６が流れ落ちないよう封止状に固定されている。
因みに樹脂受け部材１２は、前後方向両端縁１２ｄの全体を下側横框３の前後方向両側板３ｃの内面に封止状に固定され、受け止められた接着材６が流れ落ちないように設定されているものであれば凹溝状にする必要は必ずしもなく平板状のものであってもよい。また樹脂受け部材１２としては、図７に示す第二の実施の形態のように、合わせガラス５の厚みよりも前後方向幅広でかつ左右両端面５ｃよりも左右方向外方に越えた位置まである凹溝形状をしたものとすることができるが、この場合には、樹脂受け部材１２を下側横框３に固定するための固定部材１２ａと、後述するように合わせガラス５の左右方向側縁から流れ出て樹脂受け部材１２に流れ落ちた接着剤６が樹脂受け部材１２の端縁から流れ落ちないよう封止する縦板状の封止部１２ｂとを設ける必要がある。
【００１２】
そして戸体１が火災の熱を受けた場合に、融解した接着剤６は、封止材６ａが合わせガラス５の下端面５ｂを封止する状態になっているため、ガラス板５の左右両端面５ｃから流れ出ることになるが、該流れ出た接着剤６は、左右縦框４のガラス嵌合部４ａ内を通る状態で合わせガラス５の左右両端面５ｃ若しくはガラス嵌合部４ａの底面部１２ｆに沿って流れ落ち、該ガラス嵌合部４ａの開口した下端縁４ｅから下方に位置する樹脂受け部材１２内に流れ落ちるようになっている。
【００１３】
叙述の如く構成された本発明の実施の形態において、戸体１が火災の熱で熱せられた場合に、合わせガラス５のガラス合わせ面同士を固着する接着剤６は熱により融解することになるが、該融解した接着剤６は、合わせガラス５の下端面５ｂが封止材６ａにより封止されているため左右縦框４のガラス嵌合部４ａ内において合わせガラス５の左右両端面５ｃから流れ出ることになるが、該流れ出た接着剤６は、合わせガラス５の左右両端面５ｃに沿って流れ落ち、ガラス嵌合部４ａの開口した下端縁４ｅから流れ落ちて樹脂受け部材１２に受け止められることになる。
しかも合わせガラス５の下端面５ｂは、下側横框３のガラス嵌合部３ａ内において封止材６ａにより被覆されていると共に、該封止材６ａは発泡した発泡性耐火材１１により支持されているため、封止材６ａが剥がれたりする等の不具合発生が防止されることになり、この結果、合わせガラス５の下端面５ｂから融解した接着剤６が流れ落ちることがなく、融解した接着剤６は、合わせガラス５の左右両端面５ｃから流れ出て左右縦框４のガラス嵌合部４ａ内において合わせガラス５の左右両端面５ｃに沿う状態で流れ落ちて該ガラス嵌合部４ａの開口する下端縁４ｅから樹脂受け部材１２に流れ落ちることになり、仮にここで融解した接着剤６が引火したとして、上側に下側横框３のガラス嵌合部３ａがあって炎を塞ぐことになるから、非火災発生側に炎が至って延焼してしまうようなことを有効に回避し、防火性、耐火性に優れたものになる。
この結果、下側横框３のガラス嵌合部３ａは、合わせガラス５の下端面から流れ落ちる接着剤６を下側の樹脂受け部材１２に流れ落とす（スルーする）ための加工を施す必要がない。
【００１４】
しかもこのものでは、下側横框３に設けた樹脂受け部材１２は、下側横框の前後方向両側板３ｃにまで至ると共に、左右縦框４の左右方向外側板４ｄの内側端まで至り、ここで封止するようになっているから、流れ落ちる接着剤６の受けが広いものとなって確実な接着剤６の受けができるだけでなく、下側横框３および左右縦框４の下端部の補強が樹脂受け部材１２を利用してできることになり、戸体１の強度アップが図れることになる。
【００１５】
尚、本発明は前記実施の形態に限定されるものでないことは勿論であって、本実施の形態では、合わせガラスの下端面５ｂに封止手段が設けられていて、下側横框３のガラス嵌合部３ａの封止状の底面部３ｅに融解した接着剤が流れ落ちないようになっているが、例えば下側横框に形成されるガラス嵌合部が合わせガラスの下端面から流れ落ちた接着剤が、該下側横框の開口状のガラス嵌合部を通って（スルーして）下方の樹脂受け部材に受け止められるようにしたものでも実施することができる。
【産業上の利用可能性】
【００１６】
本発明は、合わせガラスを嵌め込んだ防火性、耐火性の優れた戸体として利用することができる。
【符号の説明】
【００１７】
１  戸体
２  上側横框
２ａ  ガラス嵌合部
３  下側横框
３ａ  ガラス嵌合部
３ｃ  前後方向両側板
４  左右縦框
４ａ  ガラス嵌合部
４ｄ  左右方向外側板
４ｅ  下端縁
５  合わせガラス
５ａ  ガラス板
５ｂ  下端面
５ｃ  左右両端面
６  接着剤
６ａ  封止材
１１  発泡性耐火材
１２  樹脂受け部材
１２ｃ  左右両端部
１２ｄ  前後方向両端縁
Ａ  框材
【図１】
0006675934.tif 000002
【図２】
0006675934.tif 000003
【図３】
0006675934.tif 000004
【図４】
0006675934.tif 000005
【図５】
0006675934.tif 000006
【図６】
0006675934.tif 000007
【図７】
0006675934.tif 000008